(57)【要約】【課題】放射線画像撮影装置自体で放射線の照射開始を検出する場合に、装置に振動等が加わったことにより放射線の照射開始を誤検出することを的確に防止することが可能な放射線画像撮影装置を提供する。【解決手段】放射線画像撮影装置１は、各放射線検出素子７のうち、所定の放射線検出素子７Ａには、当該放射線検出素子７Ａに光または放射線が照射されないように遮蔽する遮蔽手段４２が設けられており、制御手段２２は、遮蔽手段４２により遮蔽された所定の放射線検出素子７Ａに関する信号ｄleakＡが設定された閾値ｄleakＡ_th未満であり、かつ、遮蔽手段４２が設けられていない放射線検出素子７に関する信号ｄleakが設定された閾値ｄleak_th以上である場合にのみ、放射線の照射が開始されたと判定して照射開始を検出する。【選択図】図１６
2013195415.tif 000002
【特許請求の範囲】
【請求項１】
複数の走査線および複数の信号線と、二次元状に配列された複数の放射線検出素子とを備える検出部と、
前記各走査線にオン電圧とオフ電圧とをそれぞれ切り替えて印加する走査駆動手段と、
前記各走査線に接続され、オン電圧が印加されると前記放射線検出素子に蓄積された電荷を前記信号線に放出させるスイッチ手段と、
前記放射線検出素子から放出された前記電荷を画像データに変換して読み出す読み出し回路と、
放射線が照射されたことにより変化する信号に基づいて放射線の照射が開始されたことを検出する検出処理を行うととともに、放射線の照射開始の検出後に、少なくとも前記走査駆動手段と前記読み出し回路とを制御して、前記各放射線検出素子から放出された前記電荷をそれぞれ画像データとして読み出す制御手段と、
を備え、
前記各放射線検出素子のうち、所定の前記放射線検出素子には、当該放射線検出素子に光または放射線が照射されないように遮蔽する遮蔽手段が設けられており、
前記制御手段は、前記遮蔽手段により遮蔽された前記所定の放射線検出素子に関する前記信号が設定された閾値未満であり、かつ、前記遮蔽手段が設けられていない前記放射線検出素子に関する前記信号が設定された閾値以上である場合にのみ、放射線の照射が開始されたと判定して照射開始を検出することを特徴とする放射線画像撮影装置。
【請求項２】
前記制御手段は、前記検出処理においては、前記走査駆動手段から前記各走査線にオフ電圧を印加して前記各スイッチ手段をオフ状態とした状態で前記各スイッチ手段を介して前記各放射線検出素子からリークした前記電荷をリークデータとして読み出すリークデータの読み出し処理を繰り返し行わせ、読み出した前記リークデータを前記信号として前記検出処理を行うことを特徴とする請求項１に記載の放射線画像撮影装置。
【請求項３】
前記制御手段は、前記検出処理においては、前記走査駆動手段から前記各走査線にオン電圧を順次印加して前記各放射線検出素子から照射開始検出用の画像データの読み出し処理を繰り返し行わせ、読み出した前記照射開始検出用の画像データを前記信号として前記検出処理を行うことを特徴とする請求項１に記載の放射線画像撮影装置。
【請求項４】
全ての前記信号線のうちの所定の１本または複数本の前記信号線に接続される全ての、または一部の複数の前記各放射線検出素子が、前記遮蔽手段により遮蔽された前記所定の放射線検出素子とされていることを特徴とする請求項１から請求項３のいずれか一項に記載の放射線画像撮影装置。
【請求項５】
前記遮蔽手段は、前記各信号線のうち、前記検出部上の中央部に配線された前記信号線に接続されている前記所定の放射線検出素子を遮蔽するように設けられていることを特徴とする請求項１から請求項４のいずれか一項に記載の放射線画像撮影装置。
【請求項６】
前記遮蔽手段は、前記各信号線のうち、前記検出部上の端部に配線された前記信号線に接続されている前記所定の放射線検出素子を遮蔽するように設けられていることを特徴とする請求項１から請求項４のいずれか一項に記載の放射線画像撮影装置。
【請求項７】
前記読み出し回路の増幅回路は、オペアンプと、当該オペアンプに並列に接続されたコンデンサーとを備えたチャージアンプ回路で構成されており、
前記遮蔽手段により遮蔽された前記所定の放射線検出素子が接続されている前記信号線に接続されている前記読み出し回路の増幅回路のコンデンサーの容量が、それ以外の前記放射線検出素子が接続されている前記信号線に接続されている前記読み出し回路の増幅回路のコンデンサーの容量よりも小さな容量になるように設定されていることを特徴とする請求項１から請求項６のいずれか一項に記載の放射線画像撮影装置。
【請求項８】
前記読み出し回路の増幅回路のコンデンサーの容量が、前記遮蔽手段が設けられていない前記放射線検出素子が接続されている前記信号線が接続されている前記読み出し回路のみが内蔵された読み出しＩＣよりも、前記遮蔽手段により遮蔽された前記所定の放射線検出素子が接続されている前記信号線が接続されている前記読み出し回路が内蔵された読み出しＩＣで小さな容量になるように設定されていることを特徴とする請求項７に記載の放射線画像撮影装置。
【請求項９】
前記放射線の照射開始の検出処理時に小さな容量に設定された前記読み出し回路の増幅回路のコンデンサーの容量は、前記画像データの読み出し処理時には、元のより大きな容量に戻されることを特徴とする請求項７または請求項８に記載の放射線画像撮影装置。
【請求項１０】
照射された放射線を光に変換するシンチレーターを備え、
前記検出部の端部に、前記シンチレーターから光が照射されない前記放射線検出素子が設けられており、
前記遮蔽手段を設ける代わりに、前記制御手段は、前記シンチレーターから光が照射されない前記放射線検出素子に関する前記信号が設定された閾値未満であり、かつ、前記シンチレーターから光が照射され得る前記放射線検出素子に関する前記信号が設定された閾値以上である場合にのみ、放射線の照射が開始されたと判定して照射開始を検出することを特徴とする請求項１に記載の放射線画像撮影装置。
【請求項１１】
前記信号線が接続されていない前記読み出し回路が設けられており、
前記遮蔽手段を設ける代わりに、前記制御手段は、前記信号線が接続されていない前記読み出し回路から読み出された前記信号が設定された閾値未満であり、かつ、前記各放射線検出素子が接続されている前記信号線が接続された前記読み出し回路から読み出された前記信号が設定された閾値以上である場合にのみ、放射線の照射が開始されたと判定して照射開始を検出することを特徴とする請求項１に記載の放射線画像撮影装置。
【請求項１２】
前記各放射線検出素子には、当該放射線検出素子に逆バイアス電圧を印加するためのバイアス線がそれぞれ接続されており、
前記遮蔽手段により遮蔽された前記所定の放射線検出素子に接続されているバイアス線と、それ以外の前記放射線検出素子に接続されているバイアス線とに、前記バイアス線の内部を流れる電流を検出する電流検出手段がそれぞれ設けられており、
前記制御手段は、前記各電流検出手段が検出した電流値をそれぞれ前記信号として前記検出処理を行うことを特徴とする請求項１に記載の放射線画像撮影装置。
【請求項１３】
通信手段を備える請求項１から請求項１２のいずれか一項に記載の放射線画像撮影装置と、
前記通信手段を介して前記放射線画像撮影装置から送信されてきた前記画像データに基づいて放射線画像を生成する画像処理装置と、
を備え、
前記画像処理装置は、前記放射線画像撮影装置における、前記遮蔽手段により遮蔽された前記所定の放射線検出素子部分の前記画像データについて、前記検出部上で当該所定の放射線検出素子に隣接する前記各放射線検出素子から読み出された前記画像データを用いて当該所定の放射線検出素子部分の前記画像データを形成して画像補正することを特徴とする放射線画像撮影システム。
【発明の詳細な説明】
【技術分野】
【０００１】
本発明は、放射線画像撮影装置および放射線画像撮影システムに係り、特に、放射線の照射開始を検出して放射線画像撮影を行う放射線画像撮影装置およびそれを用いた放射線画像撮影システムに関する。
【背景技術】
【０００２】
照射されたＸ線等の放射線の線量に応じて検出素子で電荷を発生させて電気信号に変換するいわゆる直接型の放射線画像撮影装置や、照射された放射線をシンチレーター等で可視光等の他の波長の光に変換した後、変換され照射された光のエネルギーに応じてフォトダイオード等の光電変換素子で電荷を発生させて電気信号（すなわち画像データ）に変換するいわゆる間接型の放射線画像撮影装置が種々開発されている。なお、本発明では、直接型の放射線画像撮影装置における検出素子や、間接型の放射線画像撮影装置における光電変換素子を、あわせて放射線検出素子という。
【０００３】
このタイプの放射線画像撮影装置はＦＰＤ（Flat Panel Detector）として知られており、従来は支持台と一体的に形成された、いわゆる専用機型として構成されていたが（例えば特許文献１参照）、近年、放射線検出素子等を筐体内に収納し、持ち運び可能とした可搬型の放射線画像撮影装置が開発され、実用化されている（例えば特許文献２、３参照）。
【０００４】
このような放射線画像撮影装置では、例えば後述する図３等に示すように、通常、複数の放射線検出素子７が、検出部Ｐ上に二次元状（マトリクス状）に配列され、各放射線検出素子７にそれぞれ薄膜トランジスター（Thin Film Transistor。以下、ＴＦＴという。）８で形成されたスイッチ手段が接続されて構成される。
【０００５】
そして、通常、放射線発生装置の放射線源から放射線画像撮影装置に対して、被撮影者の身体等すなわち被写体を介して放射線が照射されることで、放射線画像撮影が行われる。そして、撮影後、ゲートドライバー１５ｂから走査線５の各ラインＬ１〜Ｌｘにオン電圧を順次印加して、各ＴＦＴ８を順次オン状態として、放射線の照射により各放射線検出素子７内で発生して蓄積された電荷を各信号線６に順次放出させて、各読み出し回路１７で画像データＤとしてそれぞれ読み出すように構成される。
【０００６】
ところで、このような放射線画像撮影装置を用いた従来の放射線画像撮影システムでは、放射線画像撮影装置と放射線発生装置との間で信号のやり取りを行って放射線画像撮影を行っていた。しかし、例えば、放射線画像撮影装置と放射線発生装置の製造元が異なっているような場合には、両者の間でインターフェースを構築することが必ずしも容易でない場合があり、或いは、インターフェースを構築できない場合もある。
【０００７】
このような場合、放射線画像撮影装置側から見ると、放射線源からどのようなタイミングで放射線が照射されるかが分からない。そのため、このような場合には、放射線画像撮影装置が、放射線源から放射線が照射されたことを装置自体で検出できるように構成される必要がある。そして、このように放射線画像撮影装置自体で放射線の照射開始を検出して撮影を行うことが可能な放射線画像撮影装置が種々開発されている。
【０００８】
例えば、特許文献４や特許文献５に記載の発明では、放射線画像撮影装置に対する放射線の照射が開始されて各放射線検出素子７内に電荷が発生すると、各放射線検出素子７から、各放射線検出素子７に接続されているバイアス線９（後述する図３等参照）に電荷が流れ出してバイアス線９を流れる電流が増加することを利用して、バイアス線９に電流検出手段を設けてバイアス線９内を流れる電流の電流値を検出し、その電流値に基づいて放射線の照射の開始等を検出することが提案されている。
【０００９】
また、本発明者らが、放射線画像撮影装置自体で放射線が照射されたことを検出する別の手法について種々研究を重ねた結果、放射線画像撮影装置自体で放射線が照射されたことを的確に検出することが可能ないくつかの手法を見出すことができた（例えば特許文献６、７参照）。
【００１０】
これらの新たな検出方法では、放射線画像撮影前に各読み出し回路１７で読み出されたデータに基づいて放射線の照射が開始されたことを検出するように構成されるが、これらの点については、後で説明する。
【００１１】
そして、放射線画像撮影装置の制御手段は、上記のように電流検出手段が検出した電流値や読み出し回路１７が読み出したデータ等の、放射線が照射されたことにより変化するデータを監視するように構成され、そのデータが例えば設定された閾値以上になった時点で放射線の照射が開始されたことを検出するように構成される。
【先行技術文献】
【特許文献】
【００１２】
【特許文献１】特開平９−７３１４４号公報
【特許文献２】特開２００６−０５８１２４号公報
【特許文献３】特開平６−３４２０９９号公報
【特許文献４】米国特許第７２１１８０３号明細書
【特許文献５】特開２００９−２１９５３８号公報
【特許文献６】国際公開第２０１１／１３５９１７号パンフレット
【特許文献７】国際公開第２０１１／１５２０９３号パンフレット
【発明の概要】
【発明が解決しようとする課題】
【００１３】
ところで、本発明者らの研究では、上記のように構成された放射線画像撮影装置に衝撃や振動等を加えると、装置内を流れる電流や読み出されるデータの値等が異常に大きくなる場合があることが分かってきた。
【００１４】
このような現象が生じる原因は、必ずしも明確に判明しているわけではないが、放射線検出素子７が形成された基板やシンチレーターが形成された基板に蓄積されている静電気の影響や、読み出し回路１７が内蔵された読み出しＩＣ１６等のチップがフィルム上に組み込まれたフレキシブル回路基板（Chip On Film等ともいう。後述する図５参照）が振動すること等が原因として考えられている。
【００１５】
そして、上記のように、放射線画像撮影装置に衝撃や振動等が加わって、放射線が照射されたことにより変化するデータ、すなわち上記のように電流検出手段が検出した電流値や読み出し回路１７が読み出したデータ等の値が大きくなると、放射線画像撮影装置に対して放射線が照射されていないにもかかわらず、放射線の照射が開始されたと誤検出されてしまう虞れがある。
【００１６】
そして、このような誤検出が生じると、放射線画像撮影装置は自動的に後述する電荷蓄積状態に移行し、画像データＤの読み出し処理を行ってしまう。しかし、放射線画像撮影装置には放射線が照射されていないため、読み出された画像データＤには被写体が撮影されていない状態になる。
【００１７】
そのため、読み出された画像データＤが無駄になり、放射線画像撮影装置では、無駄に読み出し処理を行った分だけ電力が無駄に消費されてしまう。また、放射線画像撮影装置では、次の正常な撮影に向けて新たに各放射線検出素子７のリセット処理等の処理を行わなければならなくなり、放射線技師等の操作者は、これらの処理が完了するまで待たねばならなくなり、すぐに次の撮影を行うことができなくなる等の問題が生じる。
【００１８】
本発明は、上記の点を鑑みてなされたものであり、放射線画像撮影装置自体で放射線の照射開始を検出する場合に、装置に振動等が加わったことにより放射線の照射開始を誤検出することを的確に防止することが可能な放射線画像撮影装置を提供することを目的とする。
【００１９】
また、上記のような新たな構成の放射線画像撮影装置では、本画像としての画像データＤを読み出すことができない放射線検出素子が発生することになり、画像データＤ中に、データが読み出されない部分が線状或いは点状に発生する。すなわち線欠陥や点欠陥が必然的に発生する。そのため、それを的確に画像補正して、放射線画像を的確に生成することが求められる。
【００２０】
そこで、本発明は、上記の放射線画像撮影装置を用いた放射線画像撮影システムにおいて、画像データＤ中に生じる線欠陥を的確に画像補正することが可能な放射線画像撮影システムを提供することをも目的とする。
【課題を解決するための手段】
【００２１】
前記の問題を解決するために、本発明の放射線画像撮影装置は、
複数の走査線および複数の信号線と、二次元状に配列された複数の放射線検出素子とを備える検出部と、
前記各走査線にオン電圧とオフ電圧とをそれぞれ切り替えて印加する走査駆動手段と、
前記各走査線に接続され、オン電圧が印加されると前記放射線検出素子に蓄積された電荷を前記信号線に放出させるスイッチ手段と、
前記放射線検出素子から放出された前記電荷を画像データに変換して読み出す読み出し回路と、
放射線が照射されたことにより変化する信号に基づいて放射線の照射が開始されたことを検出する検出処理を行うととともに、放射線の照射開始の検出後に、少なくとも前記走査駆動手段と前記読み出し回路とを制御して、前記各放射線検出素子から放出された前記電荷をそれぞれ画像データとして読み出す制御手段と、
を備え、
前記各放射線検出素子のうち、所定の前記放射線検出素子には、当該放射線検出素子に光または放射線が照射されないように遮蔽する遮蔽手段が設けられており、
前記制御手段は、前記遮蔽手段により遮蔽された前記所定の放射線検出素子に関する前記信号が設定された閾値未満であり、かつ、前記遮蔽手段が設けられていない前記放射線検出素子に関する前記信号が設定された閾値以上である場合にのみ、放射線の照射が開始されたと判定して照射開始を検出することを特徴とする。
【００２２】
また、本発明の放射線画像撮影システムは、
通信手段を備える上記の本発明の放射線画像撮影装置と、
前記通信手段を介して前記放射線画像撮影装置から送信されてきた前記画像データに基づいて放射線画像を生成する画像処理装置と、
を備え、
前記画像処理装置は、前記放射線画像撮影装置における、前記遮蔽手段により遮蔽された前記所定の放射線検出素子部分の前記画像データについて、前記検出部上で当該所定の放射線検出素子に隣接する前記各放射線検出素子から読み出された前記画像データを用いて当該所定の放射線検出素子部分の前記画像データを形成して画像補正することを特徴とする。
【発明の効果】
【００２３】
本発明のような方式の放射線画像撮影装置によれば、遮蔽手段を設けない通常の放射線検出素子に関する、放射線が照射されたことにより変化する信号が閾値以上に増大した場合であっても、遮蔽手段で遮蔽された所定の放射線検出素子に関する信号も閾値以上に増大する場合には、放射線の照射ではなく、放射線画像撮影装置に衝撃や振動等が加わったために信号が増大したと判定し、放射線の照射開始を誤検出したものと判定する。
【００２４】
このように構成することで、放射線画像撮影装置自体で放射線の照射開始を検出するように構成した場合に、装置に振動等が加わったことにより放射線の照射開始を誤検出することを的確に防止することが可能となる。そのため、誤検出に基づいて画像データを読み出して電力が無駄に消費されてしまったり、すぐに次の撮影を行うことができなくなる等の問題が生じることを的確に回避することが可能となる。
【００２５】
また、通常の放射線検出素子に関する信号が閾値以上に増大した場合に、遮蔽手段で遮蔽された放射線検出素子に関する信号が閾値未満の小さな値であれば、放射線画像撮影装置に衝撃や振動等が加わったためではなく、放射線画像撮影装置に放射線が照射されたためであると判定できる。そのため、放射線画像撮影装置に放射線が照射された場合には、放射線画像撮影装置自体で放射線の照射開始を的確に検出することが可能となる。
【００２６】
一方、上記のような構成の放射線画像撮影装置では上記の所定の放射線検出素子で本画像としての画像データＤを読み出すことができなくなり、所定の放射線検出素子の部分に線欠陥や点欠陥が必然的に生じることになる。
【００２７】
しかし、本発明のような方式の放射線画像撮影システムによれば、上記の所定の放射線検出素子以外の通常の放射線検出素子から読み出された画像データＤを用いて、線欠陥や点欠陥の部分に画像データＤを新たに形成するように画像補正を行うことが可能となる。
そして、このようにして画像データＤ中に生じる線欠陥や点欠陥に対して的確に画像補正を行って、放射線画像を的確に生成することが可能となる。
【図面の簡単な説明】
【００２８】
【図１】放射線画像撮影装置の断面図である。
【図２】放射線画像撮影装置の基板の構成を示す平面図である。
【図３】放射線画像撮影装置の基本構成における等価回路を表すブロック図である。
【図４】検出部を構成する１画素分についての等価回路を表すブロック図である。
【図５】フレキシブル回路基板やＰＣＢ基板等が取り付けられた基板を説明する側面図である。
【図６】画像データの読み出し処理における電荷リセット用スイッチ、パルス信号、ＴＦＴのオン／オフのタイミングを表すタイミングチャートである。
【図７】撮影室等に構築された本実施形態に係る放射線画像撮影システムの構成例を示す図である。
【図８】回診車上に構築された本実施形態に係る放射線画像撮影システムの構成例を示す図である。
【図９】検出方法１においてＴＦＴを介して各放射線検出素子からリークした各電荷がリークデータとして読み出されることを説明する図である。
【図１０】リークデータの読み出し処理における電荷リセット用スイッチやＴＦＴのオン／オフのタイミングを表すタイミングチャートである。
【図１１】読み出されるリークデータの時間的推移の例を表すグラフである。
【図１２】放射線画像撮影前にリークデータの読み出し処理と各放射線検出素子のリセット処理を交互に行うように構成した場合の電荷リセット用スイッチ、パルス信号、ＴＦＴのオン／オフのタイミングを表すタイミングチャートである。
【図１３】検出方法２において放射線画像撮影前に画像データの読み出し処理が繰り返し行われる際の各走査線にオン電圧を順次印加するタイミングを表すタイミングチャートである。
【図１４】検出方法３において電流検出手段を設けた場合の放射線画像撮影装置の基本構成における等価回路を表すブロック図である。
【図１５】検出方法１において各走査線にオン電圧を印加するタイミング等を説明するタイミングチャートである。
【図１６】遮蔽手段が設けられた本実施形態に係る放射線画像撮影装置の等価回路を表すブロック図である。
【図１７】本実施形態に係る放射線画像撮影装置における放射線の照射開始の未検出、検出、および誤検出を判定するための基準を説明する図である。
【図１８】全ての走査線にオン電圧を同時に印加させて各放射線検出素子のリセット処理を行うように構成した構成例におけるタイミングチャートである。
【図１９】一部の複数の走査線にオン電圧を同時に印加させて各放射線検出素子のリセット処理を行うように構成した構成例におけるタイミングチャートである。
【図２０】変形例１に係る放射線画像撮影装置の等価回路を表す要部概略図である。
【図２１】変形例２に係る放射線画像撮影装置の等価回路を表す要部概略図である。
【図２２】変形例４における検出部の中央部に配線された信号線を説明する図である。
【図２３】（Ａ）変形例６におけるシンチレーターからの光が照射されない放射線検出素子を説明する図であり、（Ｂ）蛍光体内で発生した光が外にほとんど漏れ出ないことを説明する図である。
【図２４】変形例８に係る放射線画像撮影装置の等価回路を表すブロック図である。
【図２５】画像データ中に発生する線欠陥等を表す図である。
【発明を実施するための形態】
【００２９】
以下、本発明に係る放射線画像撮影装置および放射線画像撮影システムの実施の形態について、図面を参照して説明する。
【００３０】
なお、以下では、放射線画像撮影装置として、シンチレーター等を備え、照射された放射線を可視光等の他の波長の光に変換して電気信号を得るいわゆる間接型の放射線画像撮影装置について説明するが、本発明は、シンチレーター等を介さずに放射線を放射線検出素子で直接検出する、いわゆる直接型の放射線画像撮影装置に対しても適用することができる。
【００３１】
また、放射線画像撮影装置がいわゆる可搬型である場合について説明するが、支持台等と一体的に形成された、いわゆる専用機型の放射線画像撮影装置に対しても、本発明を適用することが可能である。
【００３２】
［放射線画像撮影装置の基本的な構成等について］
まず、本実施形態に係る放射線画像撮影システムで用いられる放射線画像撮影装置の基本的な構成等について説明する。図１は、本実施形態に係る放射線画像撮影装置の断面図であり、図２は、放射線画像撮影装置の基板の構成を示す平面図である。
【００３３】
本実施形態では、放射線画像撮影装置１は、図１に示すように、放射線が照射される側の面である放射線入射面Ｒを有する筐体２内に、シンチレーター３や基板４等で構成されるセンサーパネルＳＰが収納されて構成されている。また、図１では図示を省略するが、本実施形態では、筐体２には、画像データＤ等を無線方式で後述するコンソール５８（図７や図８参照）に送信する通信手段であるアンテナ装置４１（後述する図３参照）が設けられている。
【００３４】
また、図１では図示を省略するが、本実施形態では、放射線画像撮影装置１は、筐体２の側面等にコネクターを備えており、コネクターを介して有線方式で信号やデータ等をコンソール５８等に送信することができるようになっている。そのため、このコネクターも放射線画像撮影装置１の通信手段として機能するようになっている。
【００３５】
図１に示すように、筐体２内には、基台３１が配置されており、基台３１の放射線入射面Ｒ側（以下、簡単に図中の上下方向にあわせて上面側等という。）に図示しない鉛の薄板等を介して基板４が設けられている。そして、基板４の上面側には、照射された放射線を可視光等の光に変換するシンチレーター３がシンチレーター基板３４上に設けられ、シンチレーター３が基板４側に対向する状態で設けられている。
【００３６】
また、基台３１の下面側には、電子部品３２等が配設されたＰＣＢ基板３３やバッテリー２４等が取り付けられている。このようにして、基台３１や基板４等でセンサーパネルＳＰが形成されている。また、本実施形態では、センサーパネルＳＰと筐体２の側面との間に緩衝材３５が設けられている。
【００３７】
本実施形態では、基板４はガラス基板で構成されており、図２に示すように、基板４の上面（すなわちシンチレーター３に対向する面）４ａ上には、複数の走査線５と複数の信号線６とが互いに交差するように配設されている。また、基板４の面４ａ上の複数の走査線５と複数の信号線６により区画された各小領域ｒには、放射線検出素子７がそれぞれ設けられている。
【００３８】
このように、走査線５と信号線６で区画された各小領域ｒに二次元状（マトリクス状）に配列された複数の放射線検出素子７が設けられた小領域ｒの全体、すなわち図２に一点鎖線で示される領域が検出部Ｐとされている。本実施形態では、放射線検出素子７はフォトダイオードが用いられているが、例えばフォトトランジスター等を用いることも可能である。
【００３９】
ここで、放射線画像撮影装置１の回路構成について説明する。図３は本実施形態に係る放射線画像撮影装置１の等価回路を表すブロック図であり、図４は検出部Ｐを構成する１画素分についての等価回路を表すブロック図である。
【００４０】
各放射線検出素子７の第１電極７ａには、スイッチ手段であるＴＦＴ８のソース電極８ｓ（図３や図４の「Ｓ」参照）が接続されている。また、ＴＦＴ８のドレイン電極８ｄおよびゲート電極８ｇ（図３や図４の「Ｄ」および「Ｇ」参照）は信号線６および走査線５にそれぞれ接続されている。
【００４１】
そして、ＴＦＴ８は、後述する走査駆動手段１５から走査線５を介してゲート電極８ｇにオン電圧が印加されるとオン状態となり、ソース電極８ｓやドレイン電極８ｄを介して放射線検出素子７内に蓄積されている電荷を信号線６に放出させる。また、走査線５を介してゲート電極８ｇにオフ電圧が印加されるとオフ状態となり、放射線検出素子７から信号線６への電荷の放出を停止して、放射線検出素子７内に電荷を蓄積させるようになっている。
【００４２】
また、本実施形態では、図２や図３に示すように、基板４上で１列の各放射線検出素子７ごとに１本の割合で各放射線検出素子７の第２電極７ｂにそれぞれバイアス線９が接続されており、各バイアス線９は基板４の検出部Ｐの外側の位置で結線１０に結束されている。そして、結線１０は入出力端子１１（パッドともいう。図２参照）を介してバイアス電源１４（図３や図４参照）に接続されており、バイアス電源１４から結線１０や各バイアス線９を介して各放射線検出素子７の第２電極７ｂに逆バイアス電圧が印加されるようになっている。
【００４３】
なお、本実施形態では、各入出力端子１１には、図５に示すように、後述する読み出しＩＣ１６や走査駆動手段１５のゲートドライバー１５ｂを構成するゲートＩＣ１５ｄ等のチップがフィルム上に組み込まれたフレキシブル回路基板１２が、異方性導電接着フィルム（Anisotropic Conductive Film）や異方性導電ペースト（Anisotropic Conductive Paste）等の異方性導電性接着材料１３を介して接続されている。
【００４４】
そして、フレキシブル回路基板１２は、基板４の裏面４ｂ側に引き回され、裏面４ｂ側で前述したＰＣＢ基板３３に接続されるようになっている。このようにして、放射線画像撮影装置１のセンサーパネルＳＰが形成されている。なお、図５では、電子部品３２等の図示が省略されている。
【００４５】
一方、各走査線５は、それぞれ入出力端子１１を介して走査駆動手段１５のゲートドライバー１５ｂにそれぞれ接続されている。走査駆動手段１５では、配線１５ｃを介して電源回路１５ａからゲートドライバー１５ｂにオン電圧とオフ電圧が供給されるようになっており、ゲートドライバー１５ｂで走査線５の各ラインＬ１〜Ｌｘに印加する電圧をオン電圧とオフ電圧との間でそれぞれ切り替えるようになっている。
【００４６】
また、各信号線６は、各入出力端子１１を介して読み出しＩＣ１６内に内蔵された各読み出し回路１７にそれぞれ接続されている。本実施形態では、読み出し回路１７は、主に増幅回路１８と相関二重サンプリング回路１９等で構成されている。読み出しＩＣ１６内には、さらに、アナログマルチプレクサー２１と、Ａ／Ｄ変換器２０とが設けられている。なお、図３や図４では、相関二重サンプリング回路１９はＣＤＳと表記されている。
【００４７】
本実施形態では、増幅回路１８は、オペアンプ１８ａと、オペアンプ１８ａにそれぞれ並列にコンデンサー１８ｂおよび電荷リセット用スイッチ１８ｃが接続され、オペアンプ１８ａ等に電力を供給する電源供給部１８ｄを備えたチャージアンプ回路で構成されている。そして、増幅回路１８のオペアンプ１８ａの入力側の反転入力端子に信号線６が接続されている。
【００４８】
また、増幅回路１８の電荷リセット用スイッチ１８ｃは、制御手段２２に接続されており、制御手段２２によりオン／オフが制御されるようになっている。なお、本実施形態では、オペアンプ１８ａと相関二重サンプリング回路１９との間には、電荷リセット用スイッチ１８ｃと連動して開閉するスイッチ１８ｅが設けられており、スイッチ１８ｅは、電荷リセット用スイッチ１８ｃがオン／オフ動作と連動してオフ／オン動作するようになっている。
【００４９】
各放射線検出素子７からの画像データＤの読み出し処理の際には、図６に示すように、増幅回路１８の電荷リセット用スイッチ１８ｃがオフ状態とされた状態で、各放射線検出素子７のＴＦＴ８にオン電圧が印加されてオン状態とされると、各放射線検出素子７内から信号線６に電荷がそれぞれ放出されて、各読み出し回路１７の増幅回路１８のコンデンサー１８ｂに流れ込んで蓄積される。そして、増幅回路１８では、コンデンサー１８ｂに蓄積された電荷量に応じた電圧値がオペアンプ１８ａの出力側から出力されるようになっている。
【００５０】
相関二重サンプリング回路１９は、各放射線検出素子７から電荷が流れ込む前後の増幅回路１８からの出力値の増加分をアナログ値の画像データＤとして下流側に出力する。そして、出力された各画像データＤがアナログマルチプレクサー２１を介してＡ／Ｄ変換器２０に順次送信され、Ａ／Ｄ変換器２０でデジタル値の画像データＤに順次変換されて記憶手段２３に出力されて順次保存される。このようにして画像データＤの読み出し処理が行われるようになっている。
【００５１】
制御手段２２は、図示しないＣＰＵ（Central Processing Unit）やＲＯＭ（Read Only Memory）、ＲＡＭ（Random Access Memory）、入出力インターフェース等がバスに接続されたコンピューターや、ＦＰＧＡ（Field Programmable Gate Array）等により構成されている。専用の制御回路で構成されていてもよい。
【００５２】
そして、制御手段２２は、走査駆動手段１５や読み出し回路１７を制御して上記のように画像データＤの読み出し処理を行わせるなど、放射線画像撮影装置１の各機能部の動作等を制御するようになっている。また、図３や図４に示すように、制御手段２２には、ＳＲＡＭ（Static ＲＡＭ）やＳＤＲＡＭ（Synchronous ＤＲＡＭ）等で構成される記憶手段２３が接続されている。
【００５３】
また、本実施形態では、制御手段２２には、前述したアンテナ装置４１が接続されており、さらに、走査駆動手段１５や読み出し回路１７、記憶手段２３、バイアス電源１４等の各機能部に必要な電力を供給するバッテリー２４が接続されている。
【００５４】
なお、放射線画像撮影装置１における放射線の照射開始の検出処理のための構成や制御等については、本実施形態に係る放射線画像撮影システム５０の構成等について説明した後で説明する。
【００５５】
［放射線画像撮影システム］
次に、本実施形態に係る放射線画像撮影システム５０の構成等について説明する。図７は、本実施形態に係る放射線画像撮影システム５０の構成例を示す図である。図７では、放射線画像撮影システム５０が撮影室Ｒ１内等に構築されている場合が示されている。
【００５６】
撮影室Ｒ１には、ブッキー装置５１が設置されており、ブッキー装置５１は、そのカセッテ保持部５１ａに上記の放射線画像撮影装置１を装填して用いることができるようになっている。なお、図７では、ブッキー装置５１として、立位撮影用のブッキー装置５１Ａと臥位撮影用のブッキー装置５１Ｂが設置されている場合が示されているが、例えば一方のブッキー装置５１のみが設けられていてもよい。
【００５７】
図７に示すように、撮影室Ｒ１には、被写体を介してブッキー装置５１に装填された放射線画像撮影装置１に放射線を照射する放射線源５２Ａが少なくとも１つ設けられている。本実施形態では、放射線源５２Ａを移動させたり、放射線の照射方向を変えることで、立位撮影用のブッキー装置５１Ａと臥位撮影用のブッキー装置５１Ｂのいずれにも放射線を照射することができるようになっている。
【００５８】
撮影室Ｒ１には、撮影室Ｒ１内の各装置等や撮影室Ｒ１外の各装置等の間の通信等を中継するための中継器（基地局等ともいう。）５４が設けられている。なお、本実施形態では、中継器５４には、放射線画像撮影装置１が無線方式で画像データＤや信号等の送受信を行うことができるように、アクセスポイント５３が設けられている。
【００５９】
また、中継器５４は、放射線発生装置５５やコンソール５８と接続されており、中継器５４には、放射線画像撮影装置１やコンソール５８等から放射線発生装置５５に送信するＬＡＮ（Local Area Network）通信用の信号等を放射線発生装置５５用の信号等に変換し、また、その逆の変換も行う図示しない変換器が内蔵されている。
【００６０】
前室（操作室等ともいう。）Ｒ２には、本実施形態では、放射線発生装置５５の操作卓５７が設けられており、操作卓５７には、放射線技師等の操作者が操作して放射線発生装置５５に対して放射線の照射開始等を指示するための曝射スイッチ５６が設けられている。放射線発生装置５５は、操作者により曝射スイッチ５６が操作されると、放射線源５２から放射線を照射させるようになっている。また、適切な線量の放射線が照射されるように放射線源５２を調整する等の種々の制御を行うようになっている。
【００６１】
図７に示すように、本実施形態では、コンピューター等で構成されたコンソール５８が前室Ｒ２に設けられている。なお、コンソール５８を撮影室Ｒ１や前室Ｒ２の外側や別室等に設けるように構成することも可能であり、適宜の場所に設置される。
【００６２】
また、コンソール５８には、ＣＲＴ（Cathode Ray Tube）やＬＣＤ（Liquid Crystal Display）等を備えて構成される表示部５８ａが設けられており、また、図示しないマウスやキーボード等の入力手段を備えている。また、コンソール５８には、ＨＤＤ（Hard  Disk Drive）等で構成された記憶手段５９が接続され、或いは内蔵されている。
【００６３】
一方、放射線画像撮影装置１は、図８に示すように、ブッキー装置５１には装填されずに、いわば単独の状態で用いることもできるようになっている。例えば、患者Ｈが病室Ｒ３のベッドＢから起き上がれず、撮影室Ｒ１に行くことができないような場合には、図８に示すように、放射線画像撮影装置１を病室Ｒ３内に持ち込み、ベッドＢと患者の身体との間に差し込んだり患者の身体にあてがったりして用いることができる。
【００６４】
また、この場合、図８に示すように、いわゆるポータブルの放射線発生装置５５が例えば回診車７１に搭載される等して病室Ｒ３に持ち込まれる。そして、ポータブルの放射線発生装置５５の放射線５２Ｐは、任意の方向に放射線を照射できるように構成されており、ベッドＢと患者の身体との間に差し込まれる等した放射線画像撮影装置１に対して、適切な距離や方向から放射線を照射することができるようになっている。
【００６５】
また、この場合、アクセスポイント５３が設けられた中継器５４が放射線発生装置５５内に内蔵されており、上記と同様に、中継器５４が放射線発生装置５５とコンソール５８との間の通信や、放射線画像撮影装置１とコンソール５８との間の通信や画像データＤの送信等を中継するようになっている。
【００６６】
なお、図７に示すように、放射線画像撮影装置１を、撮影室Ｒ１の臥位撮影用のブッキー装置５１Ｂ上に横臥した患者（図示省略）の身体と臥位撮影用のブッキー装置５１Ｂとの間に差し込んだり、臥位撮影用のブッキー装置５１Ｂ上で患者の身体にあてがったりして用いることも可能であり、その場合は、ポータブルの放射線５２Ｐや、撮影室Ｒ１に据え付けられた放射線源５２Ａのいずれを用いることも可能である。
【００６７】
本実施形態では、コンソール５８は画像処理装置としても機能するようになっており、放射線画像撮影装置１から画像データＤ等が送信されてくると、それらに基づいてオフセット補正やゲイン補正、欠陥画素補正、撮影部位に応じた階調処理等の精密な画像処理を行って、放射線画像を生成するようになっている。
【００６８】
［放射線の照射開始の検出方法について］
次に、本実施形態に係る放射線画像撮影装置１で用いられる放射線の照射開始の検出方法の基本的な構成について説明する。
【００６９】
本実施形態では、前述したように、放射線画像撮影装置１と放射線発生装置５５（図７や図８参照）との間でインターフェースを構築せず、放射線画像撮影装置１自体で放射線発生装置の放射線源から放射線が照射されたことを検出するように構成されている。そして、放射線の照射開始の検出方法としては、例えば、前述した特許文献６や特許文献７に記載された検出方法を採用することが可能である。以下、これらの検出方法について説明する。
【００７０】
［検出方法１］
検出方法１は、前述した特許文献６に記載されている検出方法である。この検出方法１については詳しくは同文献を参照されたい。
【００７１】
この検出方法１では、放射線画像撮影装置１の制御手段２２は、放射線画像撮影前に、リークデータｄleakの読み出し処理を繰り返し行わせるように構成される。リークデータｄleakとは、図９に示すように、各走査線５にオフ電圧を印加した状態で、オフ状態になっている各ＴＦＴ８を介して各放射線検出素子７からリークする電荷ｑの信号線６ごとの合計値に相当するデータである。
【００７２】
そして、リークデータｄleakの読み出し処理では、図１０に示すように、走査線５の各ラインＬ１〜Ｌｘにオフ電圧を印加して各ＴＦＴ８をオフ状態とした状態で、制御手段２２から各読み出し回路１７の相関二重サンプリング回路１９（図３や図４のＣＤＳ参照）にパルス信号Ｓｐ１、Ｓｐ２を送信してリークデータｄleakが読み出される。
【００７３】
この場合、画像データＤの読み出し処理（図６参照）の場合と異なり、ゲートドライバー１５ｂから各走査線５へのオン電圧の印加は行われない。制御手段２２から相関二重サンプリング回路１９にパルス信号Ｓｐ１が送信された時点からパルス信号Ｓｐ２が送信されるまでの間に増幅回路１８のコンデンサー１８ｂに蓄積された、各ＴＦＴ８を介して各放射線検出素子７からリークする電荷ｑの信号線６ごとの合計値が、リークデータｄleakとして読み出される。
【００７４】
このようにしてリークデータｄleakを読み出すように構成する場合、放射線画像撮影装置１に対する放射線の照射が開始されると、シンチレーター３（図１参照）で放射線から変換された光が、各ＴＦＴ８に照射される。そして、それにより、各ＴＦＴ８を介して各放射線検出素子７からリークする電荷ｑ（図９参照）がそれぞれ増加することが本発明者らの研究で分かった。
【００７５】
そのため、放射線画像撮影装置１に放射線が照射されると、各ＴＦＴ８を介して各放射線検出素子７からリークする電荷ｑが増加するため、図１１に示すように、読み出されるリークデータｄleakの値が、それ以前に読み出されていたリークデータｄleakの値よりも大きくなる（図１１の時刻ｔ１参照）。このように、検出方法１では、放射線が照射されたことにより、読み出されるリークデータｄleakの値が変化する。
【００７６】
そこで、これを利用して、例えば図１１に示すように、リークデータｄleakに対して閾値ｄleak_thを設定しておき、読み出されたリークデータｄleakが閾値ｄleak_th以上になった時点で、放射線画像撮影装置１に対する放射線の照射開始を検出するように構成することが可能である。
【００７７】
なお、この検出方法１では、リークデータｄleakの読み出し処理は、上記のように各ＴＦＴ８がオフ状態とされた状態で行われる。そして、各ＴＦＴ８をこのオフ状態のままとすると、各放射線検出素子７内で発生した暗電荷（暗電流等ともいう。）が各放射線検出素子７内に蓄積され続ける状態になってしまう。
【００７８】
そのため、検出方法１を採用する場合、通常、リークデータｄleakの読み出し処理と次のリークデータｄleakの読み出し処理との間で各放射線検出素子７のリセット処理を行うように構成される。すなわち、検出方法１では、図１２に示すように、通常、リークデータｄleakの読み出し処理と各放射線検出素子７のリセット処理とが交互に行われるように構成される。
【００７９】
［検出方法２］
検出方法２は、前述した特許文献７に記載されている検出方法である。この検出方法２については詳しくは同文献を参照されたい。
【００８０】
この検出方法２では、放射線画像撮影装置１の制御手段２２は、放射線画像撮影前に、図６に示した画像データＤの読み出し処理の場合と同様に各読み出し回路１７等を制御し、図１３に示すように、走査駆動手段１５のゲートドライバー１５ｂから走査線５の各ラインＬ１〜Ｌｘにオン電圧を順次印加して、各放射線検出素子７から前述した照射開始検出用の画像データ（以下、本画像としての画像データＤと区別するために、照射開始検出用の画像データｄと表す。）の読み出し処理を繰り返し行わせるようになっている。
【００８１】
そして、放射線画像撮影装置１に放射線が照射されると、各放射線検出素子７内で電荷が新たに発生するため、図７に示したリークデータｄleakの場合と同様に、読み出される照射開始検出用の画像データｄの値が、それ以前に読み出されていた照射開始検出用の画像データｄの値よりも大きくなる。このように、検出方法２では、放射線が照射されたことにより、読み出される照射開始検出用の画像データｄの値が変化する。
【００８２】
そこで、図示を省略するが、これを利用して、照射開始検出用の画像データｄに対して閾値ｄthを設定しておき、読み出された照射開始検出用の画像データｄが閾値ｄth以上になった時点で、放射線画像撮影装置１に対する放射線の照射開始を検出するように構成することが可能である。
【００８３】
［検出方法３］
また、上記の検出方法１、２のほかにも、例えば、前述した特許文献４や特許文献５に記載されているように、例えば、放射線画像撮影装置１に対する放射線の照射が開始されて各放射線検出素子７（図３等参照）内に電荷が発生すると、各放射線検出素子７から、各放射線検出素子７に接続されているバイアス線９に電荷が流れ出してバイアス線９を流れる電流が増加することを利用して、放射線の照射開始を検出するように構成することも可能である。この検出方法３については詳しくは上記の各文献を参照されたい。
【００８４】
具体的には、例えば図１４に示すように、バイアス線９やその結線１０上に電流検出手段２６を設け、電流検出手段２６でバイアス線９や結線１０中を流れる電流の値を検出して制御手段２２に出力するように構成する。
【００８５】
このように構成した場合、放射線画像撮影装置１に放射線が照射されると、上記のようにしてバイアス線９や結線１０中を流れる電流の値が、それ以前に検出されていた電流の値よりも大きくなる。このように、検出方法３では、放射線が照射されたことにより、バイアス線９や結線１０中を流れる電流の値が変化する。
【００８６】
そこで、これを利用して、図示を省略するが、バイアス線９や結線１０中を流れる電流すなわち電流検出手段２６により検出される電流の値に対して閾値を設定しておき、検出された電流の値が閾値以上になった時点で、放射線画像撮影装置１に対する放射線の照射開始を検出するように構成することが可能である。
【００８７】
このように、放射線画像撮影装置１では、例えば上記の検出方法１〜３等を採用することにより、放射線画像撮影装置１自体で放射線発生装置の放射線源から放射線が照射されたことを検出するように構成することが可能となる。
【００８８】
なお、特許文献５〜７にも記載されているように、上記の検出方法１〜３等をさらに改良して、放射線画像撮影装置１自体で放射線の照射が開始されたことを的確に検出するように構成することも可能である。
【００８９】
［放射線の照射開始の検出後の各処理について］
なお、放射線画像撮影装置１に振動等が加わったことにより放射線の照射開始を誤検出することを的確に防止することを可能とするための本発明に特有の構成等について説明する前に、放射線画像撮影装置１で上記のようにして放射線の照射が開始されたことを検出した後の各処理について説明する。
【００９０】
放射線画像撮影装置１の制御手段２２は、上記のようにして放射線の照射が開始されたことを検出すると、例えば検出方法１を採用した場合の図１５に示すように、ゲートドライバー１５ｂから走査線５の全てのラインＬ１〜Ｌｘにオフ電圧を印加させ、各ＴＦＴ８をオフ状態にして、放射線の照射により各放射線検出素子７内で発生した電荷が各放射線検出素子７内に蓄積されるようにする電荷蓄積状態に移行させる。
【００９１】
なお、図１５において、「Ｒ」は各放射線検出素子７のリセット処理が行われることを表し、「Ｌ」はリークデータｄleakの読み出し処理が行われることを表す。また、図中のＴacについては後で説明する。
【００９２】
そして、例えば放射線の照射開始を検出してから所定時間だけ電荷蓄積状態を継続した後、制御手段２２は、本画像としての画像データＤの読み出し処理を行わせるようになっている。
【００９３】
その際、本実施形態では、制御手段２２は、図１５に示すように、放射線の照射開始を検出した時点またはその直前にオン電圧が印加された走査線５（図１５の場合は走査線５のラインＬ４）の次にオン電圧を印加すべき走査線５（図１５の場合は走査線５のラインＬ５）からオン電圧の印加を開始し、ゲートドライバー１５ｂから各走査線５にオン電圧を順次印加させて、画像データＤの読み出し処理を行うようになっている。
【００９４】
一方、放射線画像撮影装置１の制御手段２２は、上記のようにして、本画像としての画像データＤの読み出し処理を終了すると、続いて、オフセットデータＯの読み出し処理を行うようになっている。なお、オフセットデータＯの読み出し処理を、放射線画像撮影前に行うように構成することも可能である。
【００９５】
そして、本実施形態では、図示を省略するが、制御手段２２は、オフセットデータＯの読み出し処理では、図１５に示した本画像としての画像データＤの読み出し処理までの処理シーケンスと同じ処理シーケンスを繰り返してオフセットデータＯの読み出し処理を行うようになっている。
【００９６】
すなわち、画像データＤの読み出し処理の終了後、検出方法１の場合にはリークデータｄleakの読み出し処理と各放射線検出素子７のリセット処理、検出方法２の場合には照射開始検出用の画像データｄの読み出し処理を所定回数行った後、電荷蓄積状態に移行させ、その後、オフセットデータＯの読み出し処理が行われる。
【００９７】
そして、放射線画像撮影装置１の制御手段２２は、オフセットデータＯの読み出し処理が終了すると、コンソール５８（図７や図８参照）等の画像処理装置に対して、各放射線検出素子７ごとの画像データＤやオフセットデータＯを送信するようになっている。また、放射線画像撮影装置１から、プレビュー画像用のデータを適宜のタイミングでコンソール５８等に送信するように構成することも可能である。
【００９８】
［振動等による放射線の照射開始の誤検出を防止するための構成等について］
次に、本実施形態に係る放射線画像撮影装置１における、装置に振動等が加わったことにより放射線の照射開始を誤検出することを的確に防止することを可能とするための本発明に特有の構成等について説明する。また、本実施形態に係る放射線画像撮影装置１や放射線画像撮影システム５０の作用についてもあわせて説明する。
【００９９】
本発明では、上記のような放射線画像撮影装置１の基本的な構成に加えて、検出部Ｐの各放射線検出素子７（図２や図３参照）のうち、所定の放射線検出素子７（以下、他の放射線検出素子７と区別するために放射線検出素子７Ａという。）には、放射線画像撮影装置１が間接型の場合には当該放射線検出素子７Ａにシンチレーター３からの光が照射されないように遮蔽し、或いは放射線画像撮影装置１が直接型の場合には当該放射線検出素子７Ａに放射線が照射されないように遮蔽する遮蔽手段が設けられている。
【０１００】
そして、制御手段２２は、遮蔽手段が設けられた放射線検出素子７Ａに関するデータ（すなわちリークデータｄleak（検出方法１）や照射開始検出用の画像データｄ（検出方法２）、結線１０等を流れる電流の値（検出方法３））が設定された閾値未満であり、かつ、遮蔽手段が設けられていない放射線検出素子７に関する前記データが設定された閾値以上である場合にのみ、放射線の照射が開始されたと判定して照射開始を検出するようになっている。
【０１０１】
以下、具体的に説明する。なお、以下でも、放射線画像撮影装置１として、上記のようにシンチレーター３（図１参照）等を備える、いわゆる間接型の放射線画像撮影装置について説明するが、本発明は、シンチレーター３等を介さずに放射線を放射線検出素子で直接検出する、いわゆる直接型の放射線画像撮影装置に対しても適用することができる。
【０１０２】
本実施形態では、例えば図１６に示すように、検出部Ｐに設けられた各放射線検出素子７のうち、所定の１本或いは所定の複数本の信号線６Ａに接続されている全ての放射線検出素子７Ａが、図１６では図示を省略するシンチレーター３からの光が当該放射線検出素子７Ａに照射されないように遮蔽するための遮蔽手段４２が設けられた状態になっている。すなわち、遮蔽手段４２は、放射線検出素子７Ａとシンチレーター３との間に設けられる。
【０１０３】
そして、遮蔽手段４２は、本実施形態のような間接型の放射線画像撮影装置１の場合には、シンチレーター３から照射される光を遮蔽するものであればよく、例えばアルミニウム板のような金属板や、カーボン等の無機材料や樹脂等の有機材料から形成される板材等で構成することができる。また、放射線検出素子７に放射線が直接照射される直接型の放射線画像撮影装置の場合には、遮蔽手段４２は、放射線を遮断する鉛板等で構成することができる。
【０１０４】
なお、特に上記の検出方法１を用いて放射線の照射開始の検出処理を行うように構成する場合には、各放射線検出素子７Ａのスイッチ手段である各ＴＦＴ８Ａに光や放射線が照射されないようにするために、遮蔽手段４２は、放射線検出素子７Ａだけでなく、図１６に示したように、少なくとも各ＴＦＴ８Ａをも遮蔽するように構成されることが必要となる。
【０１０５】
また、以下では、放射線の照射開始の検出方法として、上記の検出方法１を採用した場合、すなわち、放射線が照射されたことにより変化するデータとしてリークデータｄleak（図９参照）を用いる場合について説明するが、照射開始検出用の画像データｄ（検出方法２）や結線１０等を流れる電流の値（検出方法３）を用いる場合も、同様に説明することが可能である。
【０１０６】
さらに、以下では、遮蔽手段４２が設けられた放射線検出素子７ＡのＴＦＴ８Ａを介してリークした電荷ｑの信号線６Ａごとの合計値に相当するリークデータｄleak等を、遮蔽手段４２で遮蔽されていない放射線検出素子７（以下、通常の放射線検出素子７という。）からの通常のリークデータｄleak等と区別するためにリークデータｄleakＡ等という。
【０１０７】
そして、制御手段２２は、上記の基本的な構成のように、通常の放射線検出素子７のＴＦＴ８を介して読み出される通常のリークデータｄleakを監視するだけでなく、遮蔽手段４２で遮蔽された放射線検出素子７ＡのＴＦＴ８Ａを介して読み出されるリークデータｄleakＡも監視するように構成される。
【０１０８】
そして、本実施形態では、制御手段２２は、図１７に示す基準に従って、放射線の照射が開始されたことの未検出、検出、および誤検出を判定するようになっている。
【０１０９】
すなわち、制御手段２２は、通常の放射線検出素子７のＴＦＴ８を介して読み出される通常のリークデータｄleakが閾値ｄleak_th（図１１参照）未満であり、かつ、遮蔽手段４２で遮蔽された放射線検出素子７ＡのＴＦＴ８Ａを介して読み出されるリークデータｄleakＡも閾値ｄleakＡ_th未満である場合には、放射線画像撮影装置１にはまだ放射線が照射されていないと判定する（図１７の基準Ａ（未検出）参照）。
【０１１０】
また、制御手段２２は、放射線画像撮影装置１に放射線が照射された場合には、通常の放射線検出素子７のＴＦＴ８の部分には、シンチレーター３からの光が到達するため、リークデータｄleakが増大して閾値ｄleak_th以上になる。しかし、遮蔽手段４２で遮蔽された放射線検出素子７ＡのＴＦＴ８Ａの部分では、遮蔽手段４２でシンチレーター３からの光が遮蔽されるため、リークデータｄleakが増大せず、閾値ｄleak_th未満のままである。
【０１１１】
そのため、リークデータｄleakが閾値ｄleak_th以上になったが、リークデータｄleakＡは閾値ｄleakＡ_th未満の場合、制御手段２２は、放射線画像撮影装置１に対して放射線の照射が開始されたと判定して照射開始を検出する（図１７の基準Ｂ（検出）参照）。
【０１１２】
一方、光や放射線が遮蔽手段４２で遮蔽されるため値が大きくならないはずのリークデータｄleakＡが増大した場合には、放射線画像撮影装置１に放射線が照射されたためではなく、放射線画像撮影装置１に衝撃や振動等が加わったためであると考えられる。そして、それと同時に、通常の放射線検出素子７のＴＦＴ８を介して読み出される通常のリークデータｄleakが閾値ｄleak_th以上になったとしても、それは、やはり放射線画像撮影装置１に放射線が照射されたためではなく、放射線画像撮影装置１に衝撃や振動等が加わったためであると考えられる。
【０１１３】
そこで、制御手段２２は、このような場合、すなわち、通常の放射線検出素子７のＴＦＴ８を介して読み出される通常のリークデータｄleakが閾値ｄleak_th以上になっても、遮蔽手段４２で遮蔽された放射線検出素子７ＡのＴＦＴ８Ａを介して読み出されるリークデータｄleakＡも閾値ｄleakＡ_th以上である場合には、放射線の照射開始を誤検出したものと判定するようになっている（図１７の基準Ｃ（誤検出）参照）。
【０１１４】
制御手段２２は、放射線の照射開始を誤検出したと判定すると、図１５に示したように電荷蓄積状態や画像データＤの読み出し処理等には移行せず、リークデータｄleak、ｄleakＡの読み出し処理と各放射線検出素子７、７Ａのリセット処理とを交互に繰り返し行う状態を維持する。すなわち、放射線の照射開始の検出処理の状態に戻るようになっている。
【０１１５】
以上のように、本実施形態に係る放射線画像撮影装置１によれば、検出部Ｐ上の各放射線検出素子７のうち、所定の放射線検出素子７Ａに、当該放射線検出素子７ＡやＴＦＴ８Ａに光や放射線が照射されないように遮蔽する遮蔽手段４２を設ける。
【０１１６】
そして、遮蔽手段４２を設けない通常の放射線検出素子７に関する信号（すなわち例えば通常の放射線検出素子７のＴＦＴ８を介して読み出されたリークデータｄleak）が閾値（例えば閾値ｄleak_th）以上に増大した場合であっても、遮蔽手段４２で遮蔽された所定の放射線検出素子７Ａに関する信号も閾値以上に増大する場合には、放射線の照射ではなく、放射線画像撮影装置１に衝撃や振動等が加わったために信号（例えばリークデータｄleak）が増大したと判定し、放射線の照射開始を誤検出したものと判定するように構成する。
【０１１７】
このように構成することで、例えば上記の検出方法１を用いて放射線画像撮影装置１自体で放射線の照射開始を検出するように構成した場合に、装置に振動等が加わったことにより放射線の照射開始を誤検出することを的確に防止することが可能となる。
【０１１８】
そして、誤検出を生じているのに電荷蓄積状態に移行して画像データＤの読み出し処理を行ってしまい、読み出された画像データＤに被写体が撮影されておらず無駄になったり、無駄に読み出し処理を行って電力が無駄に消費されてしまったり、すぐに次の撮影を行うことができなくなる等の問題が生じることを的確に回避することが可能となる。
【０１１９】
また、通常の放射線検出素子７に関する信号が閾値以上に増大した場合に、遮蔽手段４２で遮蔽された放射線検出素子７Ａに関する信号が閾値未満の小さな値であれば、放射線画像撮影装置１に衝撃や振動等が加わったためではなく、放射線画像撮影装置１に放射線が照射されたためであると判定できる。
【０１２０】
そのため、このような場合に、放射線の照射が開始されたと判定するように構成することで、放射線画像撮影装置１に放射線が照射された場合には、例えば上記の検出方法１を用いて放射線画像撮影装置１自体で放射線の照射が開始されたことを的確に検出することが可能となる。
【０１２１】
なお、通常の放射線検出素子７のＴＦＴ８を介して読み出されるリークデータｄleakに対する閾値ｄleak_thと、遮蔽手段４２で遮蔽された放射線検出素子７ＡのＴＦＴ８Ａを介して読み出されるリークデータｄleakＡに対する閾値ｄleakＡ_thは、同じ値に設定してもよく、また、互いに異なる値に設定することも可能である。
【０１２２】
また、放射線の照射開始の検出方法として上記の検出方法１を採用する場合、図１２や図１５では、リークデータｄleakの読み出し処理と交互に行う各放射線検出素子７のリセット処理を、走査駆動手段１５のゲートドライバー１５ｂから走査線５の各ラインＬ１〜Ｌｘにオン電圧を順次印加して行う場合について示した。
【０１２３】
しかし、上記の検出方法３の場合も同様であるが、必ずしもこのように構成する必要はなく、例えば図１８に示すように、ゲートドライバー１５ｂから走査線５の全てのラインＬ１〜Ｌｘにオン電圧を同時に印加させて各放射線検出素子７のリセット処理を行うように構成することも可能である。
【０１２４】
また、例えば図１９に示すように、走査駆動手段１５のゲートドライバー１５ｂから、ゲートドライバー１５ｂに接続されている全ての走査線５のうちの一部の複数の走査線５にオン電圧を同時に印加させて各放射線検出素子７のリセット処理を行うように構成することも可能である。そして、その際、例えば図１９に示したように、ゲートドライバー１５ｂから、走査線５の各ラインＬ１〜Ｌｍへのオン電圧の印加と、走査線５の各ラインＬm+1〜Ｌｘへのオン電圧の印加とを交互に繰り返すように構成することも可能である。
【０１２５】
図１８や図１９に示したように構成すると、図１２や図１５に示した場合に比べて、各ＴＦＴ８、８Ａがオフ状態とされる期間が短くなり、各放射線検出素子７、７Ａ内に蓄積される暗電荷の量をより低減することが可能となる。
【０１２６】
［変形例について］
上記の本実施形態に係る放射線画像撮影装置１に対しては、種々の変形を行うことが可能である。以下、変形例について説明する。
【０１２７】
［変形例１］
上記の実施形態では、図１６に示したように、１本或いは所定の複数本の信号線６Ａに接続される全ての放射線検出素子７ＡやＴＦＴ８Ａを遮蔽手段４２で遮蔽するように構成する場合を示した。しかし、このように構成する代わりに、例えば図２０に示すように、信号線６Ａに接続される各放射線検出素子７のうち、一部の複数の放射線検出素子７Ａのみを遮蔽手段４２で遮蔽し、他の放射線検出素子７は遮蔽手段４２で遮蔽しないように構成することも可能である。
【０１２８】
［変形例２］
また、図２１に示すように、遮蔽手段４２をいわば飛び飛びに設け、遮蔽手段４２で遮蔽される放射線検出素子７Ａが、信号線６Ａ上に点在するように構成することも可能である。
【０１２９】
上記の変形例１、２の場合、信号線６Ａに接続された各放射線検出素子７のうち、一部の放射線検出素子７Ａは遮蔽手段４２で遮蔽されるが、他の放射線検出素子７は遮蔽されない。そのため、放射線画像撮影装置１に放射線が照射されると、各放射線検出素子７ＡのＴＦＴ８Ａにはシンチレーター３からの光が届かないためリークする電荷ｑ（図９参照）は増大しないが、信号線６Ａに接続されている他の放射線検出素子７のＴＦＴ８にはシンチレーター３からの光が届くためリークする電荷ｑが増大する。
【０１３０】
そのため、上記の実施形態のように、信号線６Ａに接続されている全ての放射線検出素子７ＡのＴＦＴ８Ａが遮蔽されている場合には、放射線画像撮影装置１に放射線が照射されても読み出し回路１７Ａで読み出されるリークデータｄleakは増大しないが、図２０や図２１のような場合には、読み出し回路１７Ａで読み出されるリークデータｄleakＡが、遮蔽手段４２が設けられていない放射線検出素子７の分だけ増大する状態になる。
【０１３１】
しかし、読み出し回路１７Ａで読み出されるリークデータｄleakＡの増大の度合は、遮蔽手段４２が設けられておらず全てのＴＦＴ８にシンチレーター３からの光が到達する通常の信号線６が接続されている読み出し回路１７で読み出されるリークデータｄleakの増大の度合よりも小さい。
【０１３２】
また、放射線画像撮影装置１に振動等が加わった場合には、遮蔽手段４２の有無に関わらず、読み出し回路１７で読み出されるリークデータｄleakも、読み出し回路１７Ａで読み出されるリークデータｄleakも、同じ程度で大きく増大する。
【０１３３】
そこで、リークデータｄleakＡに関する閾値ｄleakＡ_th（図１７参照）を適切な値に設定することで、放射線画像撮影装置１に放射線が照射された場合（すなわち図１７の基準Ｂの場合）と、放射線画像撮影装置１に振動等が加わった場合（すなわち図１７の基準Ｃの場合）とを的確に切り分けることが可能となる。
【０１３４】
そして、放射線画像撮影装置１に対する放射線の照射開始を的確に検出することが可能となるとともに、放射線画像撮影装置１に振動等が加わった場合の誤検出を的確に防止することが可能となる。
【０１３５】
［変形例３］
また、本実施形態や上記の変形例１、２において、放射線画像撮影装置１に振動等が加わった場合はともかく、少なくとも放射線画像撮影装置１に放射線が照射された場合に、信号線６Ａを介して読み出し回路１７Ａに流れ込む電荷は、遮蔽手段４２が設けられていない通常の信号線６を介して読み出し回路１７に流れ込む電荷よりも小さくなる。
【０１３６】
そこで、例えば、読み出し回路１７Ａの増幅回路１８のコンデンサー１８ｂ（図４参照）の容量ｃｆを、遮蔽手段４２が設けられていない通常の信号線６が接続されている読み出し回路１７の増幅回路１８のコンデンサー１８ｂの通常の容量ｃｆよりも小さな容量に設定しておくことが可能である。
【０１３７】
このように構成すれば、小さな量しか流れ込まない電荷の増減をより拡大して増幅させて読み出すことが可能となり、リークデータｄleakＡ等が閾値ｄleakＡ_th以上になったか否かをより的確に判定することが可能となる。
【０１３８】
なお、この場合、各読み出し回路１７Ａのコンデンサー１８ｂの容量ｃｆを個別に設定できず、読み出しＩＣ１６ごとに設定することしかできない場合もある。
【０１３９】
そこで、このような場合には、遮蔽手段４２が設けられていない放射線検出素子７が接続されている信号線６が接続されている読み出し回路１７のみが内蔵された読み出しＩＣ１６よりも、遮蔽手段４２により遮蔽された所定の放射線検出素子７Ａが接続されている信号線６Ａが接続されている読み出し回路１７Ａが内蔵された読み出しＩＣ１６で小さな容量ｃｆになるように、各読み出し回路１７Ａの増幅回路１８のコンデンサー１８ｂの容量ｃｆを可変させて設定する。
【０１４０】
そして、内蔵された各コンデンサー１８ｂの容量ｃｆが小さな容量になるように可変させて設定された読み出しＩＣ１６については、本画像としての画像データＤの読み出し処理時には、各コンデンサー１８ｂの容量ｃｆを元の容量に戻すように構成される。正しい値の画像データＤが読み出されるようにするためである。
【０１４１】
［変形例４］
なお、本実施形態や上記の変形例１〜３において、遮蔽手段４２を、例えば図２２に示すように、検出部Ｐ上の各信号線６のうち、検出部Ｐの中央部に配線された信号線６Ａに接続されている所定の放射線検出素子７ＡやＴＦＴ８Ａを遮蔽手段４２で遮蔽するように構成することが可能である。
【０１４２】
通常の放射線画像撮影では、放射線の照射野が、放射線画像撮影装置１の放射線入射面Ｒ（図１参照）の中央部分を含む範囲に設定される場合が多い。そのため、上記のように構成すれば、放射線画像撮影の際に、信号線６Ａの部分に放射線やシンチレーター３からの光が照射される可能性が高くなる。
【０１４３】
しかし、遮蔽手段４２により放射線検出素子７ＡやＴＦＴ８Ａに放射線や光が照射されることが的確に遮蔽されるため、図１７に示した基準を用いることで、放射線の照射が開始されたか（基準Ｂ）或いは放射線の照射開始を誤検出したか（基準Ｃ）を的確に判定することが可能となる。
【０１４４】
［変形例５］
ところで、放射線画像の中央部分には、被写体である患者の病変部等が重要な部分が撮影されている場合が多い。そのため、上記のように検出部Ｐの中央部に配線された信号線６Ａに接続されている所定の放射線検出素子７ＡやＴＦＴ８Ａを遮蔽手段４２で遮蔽するように構成すると、病変部等が撮影された部分に後述する線欠陥が発生してしまう可能性が高くなる。
【０１４５】
後述するように、線欠陥は、後の画像処理で適切に画像補正されるとはいえ、やはり病変部等の重要な部分が撮影されている画像領域にはできるだけ線欠陥が発生しないように構成することが好ましい。
【０１４６】
そこで、図示を省略するが、遮蔽手段４２を、例えば検出部Ｐの端部に配線された信号線６Ａ（図２２で言えば検出部Ｐの左端や右端に配線された信号線）に接続されている所定の放射線検出素子７ＡやＴＦＴ８Ａを遮蔽手段４２で遮蔽するように構成することが可能である。
【０１４７】
このように構成すれば、上記のように病変部等の重要な部分が撮影されている可能性が高い中央部分を避け、重要な部分が撮影されていない可能性が高い放射線画像の端部の部分に線欠陥が発生するように構成することが可能となる。
【０１４８】
その際、上記の基準を用いて放射線の照射開始の検出や誤検出を的確に判定することができるようにするために、放射線画像撮影の際には、遮蔽手段４２が設けられた検出部Ｐの端部の信号線６Ａの部分にも放射線が照射されるように照射野を設定して撮影を行うことが好ましい。
【０１４９】
［変形例６］
一方、本実施形態や上記の各変形例１〜５では、各放射線検出素子７ＡやＴＦＴ８Ａを遮蔽する遮蔽手段４２を設け、遮蔽手段４２によりシンチレーター３から照射された光を遮蔽するように構成した場合について説明した。
【０１５０】
しかし、間接型の放射線画像撮影装置１では、例えば図２３（Ａ）に示すように、検出部Ｐの端部に、シンチレーター３から光が照射されない放射線検出素子７Ｂが設けられている場合がある。
【０１５１】
図２３（Ｂ）に示すように、シンチレーター３が、柱状結晶の蛍光体３ａで形成されているような場合、放射線の照射を受け蛍光体３ａ内で発生した光は、蛍光体３ａの内部を伝播するが、その際、柱状構造の蛍光体３ａの内壁３ｂで効率よく反射されるため、蛍光体３ａの外に漏れ出す光はほとんどない。
【０１５２】
そのため、蛍光体３ａ内で発生した光は、蛍光体３ａの内部を効率よく伝播して、蛍光体３ａの先端部から高い効率で放射線検出素子７に照射されるといった特徴がある。この特徴から分かるように、図２３（Ａ）に示した検出部Ｐの端部に設けられた、その近傍にシンチレーター３が存在しない放射線検出素子７Ｂには、シンチレーター３からの光はほとんど照射されない。
【０１５３】
すなわち、放射線検出素子７ＢやそのＴＦＴ８Ｂ（図２３（Ａ）で図示省略）は、遮蔽手段４２で遮蔽しなくても、本実施形態や上記の各変形例１〜５における、遮蔽手段４２で遮蔽された放射線検出素子７ＡやＴＦＴ８Ａと同じように機能することになる。
【０１５４】
そこで、このような放射線画像撮影装置１では、本実施形態や上記の各変形例１〜５のように遮蔽手段４２を設ける代わりに、制御手段２２は、検出部Ｐの端部のシンチレーターから光が照射されない放射線検出素子７ＢやＴＦＴ８Ｂを用いて図１７に示した放射線の照射開始の検出処理（基準Ｂ）および誤検出処理（基準Ｃ）を行うように構成することが可能である。
【０１５５】
具体的には、制御手段２２は、例えば上記の検出方法１に基づいて、放射線画像撮影装置１に放射線が照射された場合にはシンチレーター３から光が照射され得る通常の放射線検出素子７のＴＦＴ８を介して読み出される通常のリークデータｄleakを監視し、また、図１７のリークデータｄleakＡの代わりに、検出部Ｐの端部のシンチレーターから光が照射されない放射線検出素子７ＢのＴＦＴ８Ｂを介して読み出されるリークデータｄleakＢも監視する。
【０１５６】
そして、図１７に示した基準に従って（ただしリークデータｄleakＡ等をリークデータｄleakＢ等と読み替える。）、通常のリークデータｄleakが設定された閾値ｄleak_th以上になっても、同時にリークデータｄleakＢが設定された閾値ｄleakＢ_th以上になった場合は、放射線画像撮影装置１に振動等が加わったことによる誤検出と判定する（基準Ｃ参照）。
【０１５７】
また、通常のリークデータｄleakが設定された閾値ｄleak_th以上になった時点で、リークデータｄleakＢが設定された閾値ｄleakＢ_th未満であれば、放射線画像撮影装置１に対する放射線の照射が開始されたと判定して（基準Ｂ参照）、図１５に示したように電荷蓄積状態に移行した後、画像データＤの読み出し処理を行うように構成される。
【０１５８】
［変形例７］
また、読み出し回路１７が内蔵された読み出しＩＣ１６が、図５に示したようにフレキシブル回路基板１２のフィルム上に組み込まれる等して設けられているような場合、放射線画像撮影装置１に振動等が加わると、フレキシブル回路基板１２が振動し、それによって読み出しＩＣ１６から出力されるデータが異常に大きくなる場合がある。
【０１５９】
そこで、これを利用して、例えば、制御手段２２で、読み出しＩＣ１６中の、信号線６が接続されていない読み出し回路１７から読み出された信号を監視するように構成し、この信号を、図１７におけるリークデータｄleakＡの代わりに用いるように構成することも可能である。
【０１６０】
具体的には、この場合、制御手段２２は、信号線６が接続されていない読み出し回路１７から読み出された信号が設定された閾値未満であり、かつ、各放射線検出素子７のＴＦＴ８を介して読み出されたリークデータｄleakが設定された閾値ｄleak_th以上である場合にのみ、放射線の照射が開始されたと判定して照射開始を検出する（図１７の基準Ｂ参照）。
【０１６１】
また、各放射線検出素子７のＴＦＴ８を介して読み出されたリークデータｄleakが設定された閾値ｄleak_th以上であっても、信号線６が接続されていない読み出し回路１７から読み出された信号も設定された閾値以上であれば、放射線画像撮影装置１に振動等が加わったことによる誤検出であると判定する（図１７の基準Ｃ参照）。
【０１６２】
このように、上記の変形例６や変形例７のように構成すれば、遮蔽手段４２を新たに設けなくても、遮蔽手段４２で遮蔽される放射線検出素子７Ａ等と同様に機能する放射線検出素子７ＢのＴＦＴ８Ｂを介して読み出されるリークデータｄleakＢや、信号線６が接続されていない読み出し回路１７から読み出される信号等を用いて、放射線画像撮影装置１に振動等が加わったことによる放射線の照射開始の誤検出や、放射線画像撮影装置１に対する放射線の照射開始の検出を的確に判定することが可能となる。
【０１６３】
そのため、上記の変形例６や変形例７のように構成しても、上記の本実施形態における効果と同様の有益な効果を得ることが可能となる。
【０１６４】
［変形例８］
さらに、図１４に示した基本構成のように、放射線画像撮影装置１に、バイアス線９やその結線１０を流れる電流を検出する電流検出手段２６を設けるように構成する場合、遮蔽手段４２で遮蔽された各放射線検出素子７Ａからバイアス線９に流れ出した電流Ｉａと、遮蔽手段４２が設けられていない通常の放射線検出素子７からバイアス線９に流れ出した電流Ｉとが結線１０で合流してしまう。
【０１６５】
そのため、電流検出手段２６でそれらを分離して検出することができなくなるため、上記の図１７に示した基準を適用することができなくなる。
【０１６６】
そこで、例えば図２４に示すように、遮蔽手段４２により遮蔽された所定の放射線検出素子７Ａに接続されているバイアス線９と、それ以外の通常の放射線検出素子７に接続されているバイアス線９とを、それぞれ別々の結線１０Ａ、１０Ｂに結束させ、各結線１０Ａ、１０Ｂ上にそれぞれ電流検出手段２６Ａ、２６Ｂを設ける。
【０１６７】
そして、各電流検出手段２６Ａ、２６Ｂでそれぞれ各結線１０Ａ、１０Ｂ中を流れる電流の値を検出してそれぞれ制御手段２２に出力するように構成する。そして、制御手段２２は、図１７に示した基準におけるリークデータｄleak、ｄleakＡ等をそれぞれ電流検出手段２６Ａが検出した電流値Ｉと電流検出手段２６Ｂが検出した電流値Ｉａで読み替えて基準を適用する。
【０１６８】
このように構成すれば、上記と同様にして、基準Ｂや基準Ｃに基づいて放射線画像撮影装置１での放射線の照射開始の検出や誤検出を的確に判定して検出することが可能となる。
【０１６９】
［線欠陥等の画像補正について］
一方、上記の実施形態や変形例１〜５、８のように構成した場合、所定の各放射線検出素子７Ａは、遮蔽手段４２により遮蔽されているため、放射線や光が到達せず、放射線画像を撮影することができない。そのため、所定の放射線検出素子７Ａからは、本画像としての画像データＤを読み出すことができない。
【０１７０】
そのため、各放射線検出素子７から読み出した画像データＤ中には、例えば図２５に示すように、所定の各放射線検出素子７Ａが接続されている信号線６Ａに対応する部分に画像データＤが存在しない部分、すなわちいわゆる線欠陥が必然的に発生する。なお、上記の変形例２のように所定の放射線検出素子７Ａを検出部Ｐ上で点状に存在する状態に形成する場合には、画像データＤが存在しない部分が点状に現れる。すなわち、いわゆる点欠陥の状態になる。
【０１７１】
そのため、所定の放射線検出素子７Ａの欠陥部分について、画像データＤを形成する画像補正を行うことが必要となる。
【０１７２】
そこで、本実施形態では、放射線画像撮影装置１から画像データＤの送信を受けた画像処理装置（本実施形態ではコンソール５８）で、送信されてきた画像データＤに基づいて、所定の放射線検出素子７Ａ部分について画像データＤを形成する画像補正処理を行うようになっている。なお、放射線画像撮影装置１の制御手段２２が、画像データＤを画像処理装置に送信する前に、所定の放射線検出素子７Ａ部分について画像データＤを形成する画像補正処理を行うように構成することも可能である。
【０１７３】
所定の放射線検出素子７Ａ部分について画像データＤを形成する画像補正処理の方法としては、公知の方法を用いることが可能である。
【０１７４】
すなわち、例えば、図２５に示したように、所定の放射線検出素子７Ａが接続されている信号線６Ａに対して検出部Ｐ上で隣接する信号線６ａ、６ｂに接続されている通常の放射線検出素子７から読み出された画像データＤに基づいて所定の放射線検出素子７Ａ部分の画像データＤを形成することが可能である。
【０１７５】
この場合、例えば、ある所定の放射線検出素子７Ａに隣接する通常の放射線検出素子７から読み出された画像データＤａ、Ｄｂ（図２５参照）の平均値を算出して、当該所定の放射線検出素子７Ａの画像データＤＡとするように構成するなど、所定の放射線検出素子７Ａに対して、図２５における左右方向に隣接する放射線検出素子７や斜め上側や斜め下側の各放射線検出素子７等の近傍の通常の各放射線検出素子７から読み出された各画像データＤを用いて、当該所定の放射線検出素子７Ａの画像データＤＡを形成して画像補正するように構成することが可能である。
【０１７６】
このように構成することで、本画像としての画像データＤを読み出すことができない所定の放射線検出素子７Ａの部分に必然的に生じる線欠陥や点欠陥について、通常の放射線検出素子７から読み出された画像データＤを用いて、線欠陥や点欠陥の部分に画像データＤを新たに形成するようにして的確に画像補正を行うことが可能となる。
【０１７７】
そして、このようにして画像データＤ中に生じる線欠陥や点欠陥に対して的確に画像補正を行って、放射線画像を的確に生成することが可能となる。
【０１７８】
なお、本発明が上記の実施形態や各変形例に限定されず、本発明の趣旨を逸脱しない限り、適宜変更可能であることは言うまでもない。
【符号の説明】
【０１７９】
１  放射線画像撮影装置
３  シンチレーター
５  走査線
６、６Ａ  信号線
７  放射線検出素子
７Ａ  所定の放射線検出素子
７Ｂ  放射線検出素子（光が照射されない放射線検出素子）
８  ＴＦＴ（スイッチ手段）
９  バイアス線
１５  走査駆動手段
１６  読み出しＩＣ
１７、１７Ａ  読み出し回路
１８  増幅回路
１８ａ  オペアンプ
１８ｂ  コンデンサー
２２  制御手段
２６、２６Ａ、２６Ｂ  電流検出手段
４１  アンテナ装置（通信手段）
４２  遮蔽手段
５０  放射線画像撮影システム
５８  コンソール（画像処理装置）
ｃｆ  容量
Ｄ  画像データ
Ｄａ、Ｄｂ  隣接する放射線検出素子から読み出された画像データ
ｄ  照射開始検出用の画像データ（信号）
ｄleak、ｄleakＡ  リークデータ（信号）
ｄleak_th  閾値（遮蔽手段が設けられていない放射線検出素子に設定された閾値）
ｄleakＡ_th  閾値（所定の放射線検出素子に設定された閾値）
Ｉ、Ｉａ  電流値（信号）
Ｐ  検出部
ｑ  電荷
【図１】
2013195415.tif 000003
【図２】
2013195415.tif 000004
【図３】
2013195415.tif 000005
【図４】
2013195415.tif 000006
【図５】
2013195415.tif 000007
【図６】
2013195415.tif 000008
【図７】
2013195415.tif 000009
【図８】
2013195415.tif 000010
【図９】
2013195415.tif 000011
【図１０】
2013195415.tif 000012
【図１１】
2013195415.tif 000013
【図１２】
2013195415.tif 000014
【図１３】
2013195415.tif 000015
【図１４】
2013195415.tif 000016
【図１５】
2013195415.tif 000017
【図１６】
2013195415.tif 000018
【図１７】
2013195415.tif 000019
【図１８】
2013195415.tif 000020
【図１９】
2013195415.tif 000021
【図２０】
2013195415.tif 000022
【図２１】
2013195415.tif 000023
【図２２】
2013195415.tif 000024
【図２３】
2013195415.tif 000025
【図２４】
2013195415.tif 000026
【図２５】
2013195415.tif 000027